(57)【要約】【課題】より小型の積層ストリップラインフィルタを提供する。【解決手段】順次積層された第１〜第３の誘電体層内１０〜１２に、第１および第２の共振器３０，３１が第２の誘電体層１１を挟んでそれぞれの少なくとも一部が積層方向から見て重なるように平行に配設されるとともに、第１および第３の共振器３０，３２が第２の誘電体層１１を挟んでそれぞれの少なくとも一部が積層方向から見て重なるように平行に配設され、第２の共振器３１および第３の共振器３２の間に第３の接地電極３５が積層方向からみてそれらに平行に配設されている。【選択図】  図１
2005051372.tif 000002
【特許請求の範囲】
【請求項１】
第１の誘電体層と、該第１の誘電体層上に積層された第２の誘電体層と、該第２の誘電体層上に積層された第３の誘電体層と、前記第１の誘電体層の下面に配設された第１の接地電極と、前記第１および第２の誘電体層の間に配設された第１の片端開放矩形状共振電極および第１の片端短絡矩形状共振電極と、前記第２および第３の誘電体層の間に配設された、第２の片端開放矩形状共振電極および第２の片端短絡矩形状共振電極、ならびに第３の片端開放矩形状共振電極および第３の片端短絡矩形状共振電極と、前記第４の誘電体層の上面に配設された第２の接地電極と、前記第２および第３の誘電体層の間に配設された第３の接地電極から成る積層ストリップラインフィルタであって、
前記第１および第２の片端開放矩形状共振電極は前記第２の誘電体層を挟んでそれぞれの少なくとも一部が積層方向から見て重なるように平行に配設されるとともに、前記第１および第３の片端開放矩形状共振電極は前記第２の誘電体層を挟んでそれぞれの少なくとも一部が積層方向から見て重なるように平行に配設され、
前記第１および第２の片端短絡矩形状共振電極は前記第２の誘電体層を挟んでそれぞれの少なくとも一部が積層方向から見て重なるように平行に配設されるとともに、前記第１および第３の片端短絡矩形状共振電極は前記第２の誘電体層を挟んでそれぞれ少なくとも一部が積層方向から見て重なるように平行に配設され、
前記第１および第２の接地電極は積層方向から見て前記第１乃至第３の片端開放矩形状共振電極および前記第１乃至第３の片端短絡矩形状共振電極を覆うように配設され、
前記第１の片端開放矩形状共振電極の開放端と反対側の端部と、前記第１の片端短絡矩形状共振電極の短絡端と反対側の端部とが電気的に接続されて第１の共振器が構成され、
前記第２の片端開放矩形状共振電極の開放端と反対側の端部と、前記第２の片端短絡矩形状共振電極の短絡端と反対側の端部とが電気的に接続されて第２の共振器が構成され、
前記第３の片端開放矩形状共振電極の開放端と反対側の端部と、前記第３の片端短絡矩形状共振電極の短絡端と反対側の端部とが電気的に接続されて第３の共振器が構成され、
前記第３の接地電極が前記第２および第３の共振器の間にそれらに平行に配設され、
前記第２の共振器に入力端子および前記第３の共振器に出力端子がそれぞれ電気的に接続されるか、または前記第２の共振器に出力端子および前記第３の共振器に入力端子がそれぞれ電気的に接続されていることを特徴とする積層ストリップラインフィルタ。
【請求項２】
前記各接地電極は、前記誘電体層の内部に形成された貫通導体および側面に形成された側面導体の少なくとも一方により積層方向に電気的に接続されていることを特徴とする請求項１記載の積層ストリップラインフィルタ。
【請求項３】
前記各片端短絡矩形状共振電極は、その前記短絡端が前記誘電体層の内部に形成された貫通導体および側面に形成された側面導体の少なくとも一方により積層方向に電気的に接続されていることを特徴とする請求項２記載の積層ストリップラインフィルタ。
【発明の詳細な説明】
【０００１】
【発明の属する技術分野】
本発明は、例えば携帯電話や無線ＬＡＮ等の無線通信機器その他の各種通信機器等において使用される積層ストリップラインフィルタに関するものである。
【０００２】
【従来の技術】
近年、携帯電話機等の移動体通信機器等に使用される帯域阻止フィルタや帯域通過フィルタ等のフィルタは、移動体通信機器等の薄型化、小型化の要求に伴い、誘電体同軸型共振器を用いたフィルタから分布定数回路を共振器に用いた積層ストリップラインフィルタへと進展してきている。
【０００３】
このような積層ストリップラインフィルタとして、図４に透視斜視図、図５に透視平面図、図６に図５におけるｂ−ｂ’線断面図で示す構成のものが提案されている（例えば、特許文献１参照）。
【０００４】
図４〜図６において、４０は第１の誘電体層、４１は第１の誘電体層４０上に積層された第２の誘電体層、４２は第２の誘電体層４１上に積層された第３の誘電体層、５０は第１の誘電体層４０の下面に配設された第１の接地電極、５１は第３の誘電体層４２の上面に配設された第２の接地電極、５２，５３は第１および第２の誘電体層４０，４１の間に配設した第１の片端開放矩形状共振電極および第１の片端短絡矩形状共振電極、５４，５５は第２および第３の誘電体層４１，４２の間に配設した第２の片端開放矩形状共振電極および第２の片端短絡矩形状共振電極、５６，５７は第２および第３の誘電体層４１，４２の間に配設した第３の片端開放矩形状共振電極および第３の片端短絡矩形状共振電極、５８は第１〜第３の片端開放矩形状共振電極５２，５４，５６のそれぞれの開放端、５９は第１〜第３の片端短絡矩形状共振電極５３，５５，５７のそれぞれの短絡端である。
【０００５】
そして、図５，図６のＷＡ，ＷＢ，ＷＣ，ＷＤに示すように、第１および第２の片端開放矩形状共振電極５２，５４は第２の誘電体層４１を挟んでそれぞれの少なくとも一部が積層方向から見てＷＡの幅で重なるように平行に配設されるとともに、第１および第３の片端開放矩形状共振電極５２，５６は第２の誘電体層４１を挟んでそれぞれの少なくとも一部が積層方向から見てＷＢの幅で重なるように平行に配設されている。また、第１および第２の片端短絡矩形状共振電極５３，５５は第２の誘電体層４１を挟んでそれぞれの少なくとも一部が積層方向から見てＷＣの幅で重なるように平行に配設されるとともに、第１および第３の片端短絡矩形状共振電極５３，５７は第２の誘電体層４１を挟んでそれぞれの少なくとも一部が積層方向から見てＷＤの幅で重なるように平行に配設されている。
【０００６】
また、第１および第２の接地電極５０，５１は積層方向から見て第１〜第３の片端開放矩形状共振電極５２，５４，５６および第１〜第３の片端短絡矩形状共振電極５３，５５，５７を覆うように配設されている。
【０００７】
そして、第１の片端開放矩形状共振電極５２の開放端５８と反対側の端部と、第１の片端短絡矩形状共振電極５３の短絡端５９と反対側の端部とを電気的に接続して第１の共振器を構成し、第２の片端開放矩形状共振電極５４の開放端５８と反対側の端部と、第２の片端短絡矩形状共振電極５５の短絡端５９と反対側の端部とを電気的に接続して第２の共振器を構成し、第３の片端開放矩形状共振電極５６の開放端５８と反対側の端部と、第３の片端短絡矩形状共振電極５７の短絡端５９と反対側の端部とを電気的に接続して第３の共振器を構成している。
【０００８】
そして、第２の共振器と第３の共振器は中心軸ｃ−ｃ’に関して線対称な形状で対称な位置に配設され、また、第１の共振器は中心軸ｃ−ｃ’に関して線対称な形状に形成されている。
【０００９】
さらに、第２の共振器に入力（出力）端子が電気的に接続され、第３の共振器に出力（入力）端子が電気的に接続されている。
【００１０】
そして、第２の片端開放矩形状共振電極５４と第３の片端開放矩形状共振電極５６との距離Ｗｏｐｅｎ、または第２の片端開短絡矩形状共振電極５５と第３の片端短絡矩形状共振電極５７との距離Ｗｓｈｏｒｔを調整することにより、通過帯域に対して高域側もしくは低域側にそれぞれ減衰極を１個有するフィルタ特性を実現していた。また、共振器を追加して複数形成することで、異なる周波数の減衰極を２個以上有するフィルタ特性を実現していた。
【００１１】
【特許文献１】
特開平８−７０２０１号公報
【００１２】
【発明が解決しようとする課題】
このような積層ストリップラインフィルタは、各片端開放矩形状共振電極の幅および長さ、各片端短絡矩形状共振電極の幅および長さ、誘電体層の厚み、積層方向からみた（平面視における）各共振電極の重なり部分の幅などによってそのフィルタ特性が決定される。
【００１３】
しかしながら、従来の積層ストリップラインフィルタでは、再現しようとするフィルタ特性によっては共振電極の幅が大きくなり、全体の外形が大型化してしまうという問題点があった。また、共振電極の幅を小さくして所望のフィルタ特性を得るためには各誘電体層の厚みを変更しなければならず、層構成に制限がある場合小型化に対応できないという問題点があった。
【００１４】
本発明は上記問題点に鑑みて完成されたものであり、その目的は、より小型の積層ストリップラインフィルタを提供することにある。
【００１５】
【課題を解決するための手段】
本発明の積層ストリップラインフィルタは、第１の誘電体層と、該第１の誘電体層上に積層された第２の誘電体層と、該第２の誘電体層上に積層された第３の誘電体層と、前記第１の誘電体層の下面に配設された第１の接地電極と、前記第１および第２の誘電体層の間に配設された第１の片端開放矩形状共振電極および第１の片端短絡矩形状共振電極と、前記第２および第３の誘電体層の間に配設された、第２の片端開放矩形状共振電極および第２の片端短絡矩形状共振電極、ならびに第３の片端開放矩形状共振電極および第３の片端短絡矩形状共振電極と、前記第４の誘電体層の上面に配設された第２の接地電極と、前記第２および第３の誘電体層の間に配設された第３の接地電極から成る積層ストリップラインフィルタであって、
前記第１および第２の片端開放矩形状共振電極は前記第２の誘電体層を挟んでそれぞれの少なくとも一部が積層方向から見て重なるように平行に配設されるとともに、前記第１および第３の片端開放矩形状共振電極は前記第２の誘電体層を挟んでそれぞれの少なくとも一部が積層方向から見て重なるように平行に配設され、
前記第１および第２の片端短絡矩形状共振電極は前記第２の誘電体層を挟んでそれぞれの少なくとも一部が積層方向から見て重なるように平行に配設されるとともに、前記第１および第３の片端短絡矩形状共振電極は前記第２の誘電体層を挟んでそれぞれ少なくとも一部が積層方向から見て重なるように平行に配設され、
前記第１および第２の接地電極は積層方向から見て前記第１乃至第３の片端開放矩形状共振電極および前記第１乃至第３の片端短絡矩形状共振電極を覆うように配設され、
前記第１の片端開放矩形状共振電極の開放端と反対側の端部と、前記第１の片端短絡矩形状共振電極の短絡端と反対側の端部とが電気的に接続されて第１の共振器が構成され、
前記第２の片端開放矩形状共振電極の開放端と反対側の端部と、前記第２の片端短絡矩形状共振電極の短絡端と反対側の端部とが電気的に接続されて第２の共振器が構成され、
前記第３の片端開放矩形状共振電極の開放端と反対側の端部と、前記第３の片端短絡矩形状共振電極の短絡端と反対側の端部とが電気的に接続されて第３の共振器が構成され、
前記第３の接地電極が前記第２および第３の共振器の間にそれらに平行に配設され、
前記第２の共振器に入力端子および前記第３の共振器に出力端子がそれぞれ電気的に接続されるか、または前記第２の共振器に出力端子および前記第３の共振器に入力端子がそれぞれ電気的に接続されていることを特徴とするものである。
【００１６】
本発明の積層ストリップラインフィルタは、第３の接地電極を第２および第３の誘電体層の間で第２および第３の共振器の間に配設したことにより、第１の共振器の幅を小さくすることができる。すなわち、従来の積層ストリップラインフィルタにおける第１の共振器と第２の接地電極間での電磁界結合量と同じ電磁界結合量を、第１の共振器と第３の接地電極との間で得ることができるので、電極間の距離が小さくなり、その結果共振器の幅を小さくすることができるからである。
【００１７】
また、本発明の積層ストリップラインフィルタは、好ましくは、前記各接地電極は、前記誘電体層の内部に形成された貫通導体および側面に形成された側面導体の少なくとも一方により積層方向に電気的に接続されていることを特徴とする。さらに、この構成において、より好ましくは、前記各片端短絡矩形状共振電極は、その前記短絡端が前記誘電体層の内部に形成された貫通導体および側面に形成された側面導体の少なくとも一方により積層方向に電気的に接続されていることを特徴とする。
【００１８】
本発明の積層ストリップラインフィルタは、上記の構成により、積層された複数の誘電体層の内部に形成される積層ストリップラインフィルタの設計自由度が向上するとともに、小型で高性能な積層ストリップラインフィルタを提供することができる。
【００１９】
【発明の実施の形態】
本発明の積層ストリップラインフィルタ（以下、フィルタともいう）について以下に詳細に説明する。
【００２０】
図１は本発明のフィルタの実施の形態の一例を示す透視斜視図であり、図２は図１を積層方向から見た透視平面図、図３は図２のａ−ａ’線における断面図である。図１〜図３において、１０は第１の誘電体層、１１は第１の誘電体層１０上に積層された第２の誘電体層、１２は第２の誘電体層１１上に積層された第３の誘電体層、２０は第１の誘電体層１０の下面に配設された第１の接地電極、２１は第３の誘電体層１２の上面に配設された第２の接地電極、２２，２３は第１および第２の誘電体層１０，１１の間に配設された第１の片端開放矩形状共振電極および第１の片端短絡矩形状共振電極、２４，２５は第２および第３の誘電体層１１，１２の間に配設された第２の片端開放矩形状共振電極および第２の片端短絡矩形状共振電極、２６，２７は第２および第３の誘電体層１１，１２の間に配設された第３の片端開放矩形状共振電極、３５は第２および第３の誘電体層１１，１２の間に配設された第３の片端開放矩形状共振電極、２８は第１〜第３の片端開放矩形状共振電極２２，２４，２６のそれぞれの開放端、２９は第１〜第３の片端短絡矩形状共振電極２３，２５，２７のそれぞれの短絡端である。第１〜第３の片端短絡矩形状共振電極２３，２５，２７は、第１の接地電極２０および第２の接地電極２１に電気的に接続されて短絡されている（図示せず）。
【００２１】
そして、図２，図３のＷＡ，ＷＢ，ＷＣ，ＷＤに示すように、第１および第２の片端開放矩形状共振電極２２，２４は、第２の誘電体層１１を挟んでそれぞれの少なくとも一部が積層方向から見てＷＡの幅で重なるような重なり幅で平行に配設されるとともに、第１および第３の片端開放矩形状共振電極２２，２６は第２の誘電体層１１を挟んでそれぞれの少なくとも一部が積層方向から見てＷＢの幅で重なるような重なり幅で平行に配設されている。また、第１および第２の片端短絡矩形状共振電極２３，２５は第２の誘電体層１１を挟んでそれぞれの少なくとも一部が積層方向から見てＷＣの幅で重なるような重なり幅で平行に配設されるとともに、第１および第３の片端短絡矩形状共振電極２３，２７は第２の誘電体層１１を挟んでそれぞれの少なくとも一部が積層方向から見てＷＤの幅で重なるような重なり幅で平行に配設されている。また、第１および第２の接地電極２０，２１は積層方向から見て第１〜第３の片端開放矩形状共振電極２２，２４，２６ならびに第１〜第３の片端短絡矩形状共振電極２３，２５，２７を覆うように配設されている。
【００２２】
そして、第１の片端開放矩形状共振電極２２の開放端２８と反対側の端部と、第１の片端短絡矩形状共振電極２３の短絡端２９と反対側の端部とを電気的に接続して第１の共振器３０を構成し、第２の片端開放矩形状共振電極２４の開放端２８と反対側の端部と、第２の片端短絡矩形状共振電極２５の短絡端２９と反対側の端部とを電気的に接続して第２の共振器３１を構成し、第３の片端開放矩形状共振電極２６の開放端２８と反対側の端部と、第３の片端短絡矩形状共振電極２７の短絡端２９と反対側の端部とを電気的に接続して第３の共振器３２を構成している。
【００２３】
そして、第２の片端開放矩形状共振電極２４および第２の片端短絡矩形状共振電極２５と、第３の片端開放矩形状共振電極２６および第３の片端短絡矩形状共振電極２７との間に、第３の接地電極３５がそれらに平行に配設されている。
【００２４】
さらに、第１の片端開放矩形状共振電極２２と第２および第３の片端開放矩形状共振電極２４，２６とが積層方向から見て重なる部分の幅、すなわち重なり幅ＷＡ，ＷＢをそれぞれ異なる寸法とするとともに、第１の片端短絡矩形状共振電極２３と第２および第３の片端短絡矩形状共振電極２５，２７とが積層方向から見て重なる部分の重なり幅ＷＣ，ＷＤを、それぞれ異なる寸法としている。
【００２５】
第１〜第３の片端開放矩形状共振電極２２，２４，２６の幅Ｗ２２，Ｗ２４，Ｗ２６をそれぞれ異なる寸法とし、第１〜第３の片端短絡矩形状共振電極２３，２５，２７の幅Ｗ２３，Ｗ２５，Ｗ２７をそれぞれ異なる寸法とすることにより、または、これら第１〜第３の片端開放矩形状共振電極２２，２４，２６および第１〜第３の片端短絡矩形状共振電極２３，２５，２７の幅方向の配置を変更することにより、または、これらを組み合わせることにより、第１の片端開放矩形状共振電極２２と第２および第３の片端開放矩形状共振電極２４，２６との重なり幅ＷＡ，ＷＢを異なる寸法とするとともに、第１の片端短絡矩形状共振電極２３と第２および第３の片端短絡矩形状共振電極２５，２７との重なり幅ＷＣ，ＷＤを異なる寸法とすることができる。そして、重なり幅ＷＡと重なり幅ＷＣとで、また重なり幅ＷＢと重なり幅ＷＤとで形成される部分の面積が異なることとなり、この部分で生じる電磁界結合量を相互に異なったものとすることができる。
【００２６】
そして、第１の片端開放矩形状共振電極２２と第２の片端開放矩形状共振電極２４との重なり幅ＷＡおよび第１の片端短絡矩形状共振電極２３と第２の片端短絡矩形状共振電極２５との重なり幅ＷＣによって、第１と第２の共振器３０，３１間に電磁界結合による共振回路を形成することができ、第１の減衰極を発生させることができる。また、第１の片端開放矩形状共振電極２２と第３の片端開放矩形状共振電極２６との重なり幅ＷＢおよび第１の片端短絡矩形状共振電極２３と第３の片端短絡矩形状共振電極２７との重なり幅ＷＤによって、第１と第３の共振器３０，３２間に先の電磁界結合と異なる電磁界結合量によるもう一つの共振回路を形成することができ、第２の減衰極を発生させることができる。
【００２７】
なお、第１〜第３の片端開放矩形状共振電極２２，２４，２６の幅Ｗ２２，Ｗ２４，Ｗ２６に対する第１〜第３の片端短絡矩形状共振電極２３，２５，２７の幅Ｗ２３，Ｗ２５，Ｗ２７、ならびに第１の片端開放矩形状共振電極２２と第２および第３の片端開放矩形状共振電極２４，２６との重なり幅ＷＡ，ＷＢに対する第１の片端短絡矩形状共振電極２３と第２および第３の片端短絡矩形状共振電極２５，２７との重なり幅ＷＣ，ＷＤとは、実現するフィルタ特性によってそれぞれ異なる寸法に形成される。
【００２８】
さらに、第２の共振器３１に入力端子３３が電気的に接続され、第３の共振器３２に出力端子３４が電気的に接続されて外部回路に接続される。なお、必要に応じて入力端子３３を出力端子とし、出力端子３４を入力端子とすることもできる。
【００２９】
このような構成の本発明のフィルタは、好ましくは、第１および第２の接地電極２０，２１が、または第１および第２の接地電極２０，２１および第１〜第３の片端短絡矩形状共振電極２３，２５，２７の短絡端２９が、誘電体層の内部に形成された貫通導体（図示せず）または誘電体層の側面に形成された側面導体（図示せず）により、またはこれら貫通導体および側面導体により積層方向に電気的に接続される構成とすることにより、適用するフィルタの構造に対して３次元的な配線設計が可能となるので、積層された複数の誘電体層の内部に形成するフィルタの設計自由度が向上し、小型で高性能なフィルタを提供することができる。
【００３０】
本発明のフィルタを形成するに当たり、第１〜第３の誘電体層１０〜１２、第１〜第３の接地電極２０，２１，３５、第１〜第３の片端開放矩形状共振電極２２，２４，２６、第１〜第３の片端短絡矩形状共振電極２３，２５，２７は、以下に示すような周知の高周波用配線基板に使用される種々の材料や形態のものを使用することができる。
【００３１】
本発明における第１〜第３の誘電体層１０〜１２としては、例えばアルミナセラミックス，ムライトセラミックス等のセラミックス材料やガラスセラミックス等の無機系材料、あるいは四ふっ化エチレン樹脂（ポリテトラフルオロエチレン；ＰＴＦＥ），四ふっ化エチレン−エチレン共重合樹脂（テトラフルオロエチレン−エチレン共重合樹脂；ＥＴＦＥ），四ふっ化エチレン−パーフルオロアルコキシエチレン共重合樹脂（テトラフルオロエチレン−パーフルオロアルキルビニルエーテル共重合樹脂；ＰＦＡ）等のフッ素樹脂やガラスエポキシ樹脂，ポリイミド等の樹脂系材料等が用いられる。これらの材料による第１〜第３の誘電体層１０〜１２の形状や寸法（厚み、幅、長さ）は、使用される周波数や用途等に応じて設定される。
【００３２】
本発明における第１および第２の接地電極２０，２１、第１〜第３の片端開放矩形状共振電極２２，２４，２６、第１〜第３の片端短絡矩形状共振電極２３，２５，２７、貫通導体または側面導体は、高周波信号伝送用の金属材料の導体層、例えばＣｕ層，Ｍｏ−Ｍｎのメタライズ層上にＮｉメッキ層およびＡｕメッキ層を被着させたもの、Ｗのメタライズ層上にＮｉメッキ層およびＡｕメッキ層を被着させたもの、Ｃｒ−Ｃｕ合金層、Ｃｒ−Ｃｕ合金層上にＮｉメッキ層およびＡｕメッキ層を被着させたもの、Ｔａ２Ｎ層上にＮｉ−Ｃｒ合金層およびＡｕメッキ層を被着させたもの、Ｔｉ層上にＰｔ層およびＡｕメッキ層を被着させたもの、またはＮｉ−Ｃｒ合金層上にＰｔ層およびＡｕメッキ層を被着させたもの等を用いて、厚膜印刷法あるいは各種の薄膜形成方法やメッキ法等により形成される。その厚みや幅も、伝送される高周波信号の周波数や用途等に応じて設定される。
【００３３】
本発明における第１〜第３の誘電体層１０〜１２の作製にあたっては、例えば誘電体層がガラスセラミックスから成る場合であれば、まず誘電体層となるガラスセラミックスのグリーンシートを準備し、これに所定の打ち抜き加工を施して貫通導体となる貫通孔を形成した後、スクリーン印刷法によりＣｕ等の導体ペーストを貫通孔に充填するとともに、所定の伝送線路パターンおよびその他の導体層のパターンを印刷塗布する。次に、８５０〜１０００℃で焼成を行ない、最後に外表面に露出している導体層上にＮｉメッキおよびＡｕメッキを施す。
【００３４】
【実施例】
本発明の積層ストリップラインフィルタの実施例を以下に説明する。
【００３５】
実施例として、通過帯域に対して高域側と低域側にそれぞれ減衰極を１個ずつ有するフィルタ特性を有するモデルを、図１〜図３に示す構成の本発明のフィルタ、および図４〜図６に示す従来のフィルタについて３次元電磁界解析シミュレータ上に作製し、シミュレーション解析を行ない、解析結果を比較した。
【００３６】
図１〜図３に示す構成の本発明のフィルタにおけるシミュレーションの場合、各部の寸法を以下のように設定した。
【００３７】
第１〜第３の誘電体層１０〜１２の各厚みｈ１，  ｈ２，ｈ３について、ｈ１＝０．２ｍｍ、ｈ２＝０．２ｍｍ、ｈ３＝０．２ｍｍとした。
【００３８】
第１〜第３の片端開放矩形状共振電極２２，２４，２６の各共振電極の幅Ｗ２２，Ｗ２４，Ｗ２６および各共振電極の長さＬ２２，Ｌ２４，Ｌ２６について、Ｗ２２＝１．８３ｍｍ、Ｗ２４＝０．７４ｍｍ、Ｗ２６＝０．９７ｍｍ、Ｌ２２＝Ｌ２４＝Ｌ２６＝２．４５ｍｍとした。
【００３９】
第１〜第３の片端短絡矩形状共振電極２３，２５，２７の各共振電極の幅Ｗ２３，Ｗ２５，Ｗ２７および各共振電極の長さＬ２３，Ｌ２５，Ｌ２７について、Ｗ２３＝１．８ｍｍ、Ｗ２５＝０．８５ｍｍ、Ｗ２７＝０．９７ｍ、Ｌ２３＝Ｌ２５＝Ｌ２７＝２．４５ｍｍとした。
【００４０】
第１および第２の片端開放矩形状共振電極２２，２４が積層方向から見て重なる部分の幅ＷＡ＝０．５８ｍｍ、第１および第２の片端短絡矩形状共振電極２３，２５が積層方向から見て重なる部分の重なり幅ＷＣ＝０．２６ｍｍとした。
【００４１】
第１および第３の片端開放矩形状共振電極２２，２６が積層方向から見て重なる部分の幅ＷＢ＝０．０７ｍｍ、第１および第３の片端短絡矩形状共振電極２３，２７が積層方向から見て重なる部分の重なり幅ＷＤ＝０．３５ｍｍとした。
【００４２】
第３の接地電極３５の幅は０．３ｍｍとし、電極の中心が第２および第３の片端開放（短絡）矩形状共振電極間の中心と重なるように配設した。シミュレーションの際に用いた各誘電体層の比誘電率は７．７に設定した。
【００４３】
また、図４〜図６に示す構成の従来のフィルタにおけるシミュレーションの場合、各部の寸法を以下のように設定した。
【００４４】
第１〜第３の誘電体層４０〜４２の各厚みｈ１，ｈ２，ｈ３について、ｈ１＝０．２ｍｍ、ｈ２＝０．２ｍｍ、ｈ３＝０．２ｍｍとした。
【００４５】
第１〜第３の片端開放矩形状共振電極５２，５４，５６の各共振電極の幅Ｗ５２，Ｗ５４，Ｗ５６および各共振電極の長さＬ５２，Ｌ５４，Ｌ５６について、Ｗ５２＝２．３５ｍｍ、Ｗ５４＝０．７４ｍｍ、Ｗ５６＝０．９７ｍｍ、Ｌ５２＝Ｌ５４＝Ｌ５６＝２．４５ｍｍとした。
【００４６】
第１〜第３の片端短絡矩形状共振電極５３，５５，５７の各共振電極の幅Ｗ５３，Ｗ５５，Ｗ５７および各共振電極の長さＬ５３，Ｌ５５，Ｌ５７について、Ｗ５３＝２．２５ｍｍ、Ｗ５５＝０．８５ｍｍ、Ｗ５７＝０．９７ｍ、Ｌ５３＝Ｌ５５＝Ｌ５７＝２．４５ｍｍとした。
【００４７】
第１および第２の片端開放矩形状共振電極５２，５４が積層方向から見て重なる部分の幅ＷＡ＝０．５８ｍｍ、第１および第２の片端短絡矩形状共振電極５３，５５が積層方向から見て重なる部分の重なり幅ＷＣ＝０．２６ｍｍとした。
【００４８】
第１および第３の片端開放矩形状共振電極５２，５６が積層方向から見て重なる部分の幅ＷＢ＝０．０７ｍｍ、第１および第３の片端短絡矩形状共振電極５３，５７が積層方向から見て重なる部分の重なり幅ＷＤ＝０．３５ｍｍとした。シミュレーションの際に用いた各誘電体層の比誘電率は７．７に設定した。
【００４９】
上記条件の従来のフィルタと本発明のフィルタは、同一のフィルタ特性が得られるように各部の寸法を設定した。
【００５０】
図７に上記条件での従来のフィルタのモデルのシミュレーション結果のグラフを示す。図７において、横軸は周波数（単位：ＧＨｚ）を、縦軸は挿入損失（単位：ｄＢ）を表す。また図８は、図７に示す従来のフィルタのフィルタ特性に上記条件における本発明のフィルタのフィルタ特性を重ねたグラフである。図８において、Ａは従来のフィルタのフィルタ特性、Ｂは本発明のフィルタのフィルタ特性である。図８から分かるように、従来および本発明のフィルタはほぼ同じフィルタ特性を示すことが確認できた。
【００５１】
そして、従来のフィルタの外形の幅は３．８３ｍｍ、本発明のフィルタの外形の幅は３．３２ｍｍであるので、寸法として０．５１ｍｍ、比率として約１３．３％の小型化を実現できた。
【００５２】
また本発明のフィルタは、上記の構成において、好ましくは、第１および第２の接地電極２０，２１を積層方向に電気的に接続する接続導体、または第１〜第３の片端短絡矩形状共振電極２３，２５，２７の短絡端２９および第１および第２の接地電極２０，２１を積層方向に電気的に接続する接続導体が、誘電体層の内部に形成された貫通導体や側面に形成された側面導体であるものであり、これにより、積層された複数の誘電体層の内部に形成するフィルタの設計自由度が向上するとともに、小型で高性能なフィルタを提供することができる。
【００５３】
なお、本発明は上記の実施の形態および実施例に限定されず、本発明の要旨を逸脱しない範囲内で種々の変更、改良を加えることは何ら差し支えない。例えば、第２または第３の片端開放（短絡）矩形状共振電極の幅を小さくするために、第１の共振器と同じ層に接地電極を挿入してもよい。
【００５４】
【発明の効果】
本発明の積層ストリップラインフィルタは、第３の接地電極を第２および第３の誘電体層の間で第２および第３の共振器の間に配設したことにより、従来の積層ストリップラインフィルタにおける第１の共振器と第２の接地電極間での電磁界結合量と同じ電磁界結合量を、第１の共振器と第３の接地電極との間で得ることができるので、電極間の距離が小さくなり、その結果共振器の幅を小さくすることができ、積層ストリップラインフィルタの外形を小型化することができる。
【００５５】
また、本発明の積層ストリップラインフィルタは、好ましくは、各接地電極は、誘電体層の内部に形成された貫通導体および側面に形成された側面導体の少なくとも一方により積層方向に電気的に接続されているか、または、この構成において、より好ましくは、各片端短絡矩形状共振電極は、その短絡端が誘電体層の内部に形成された貫通導体および側面に形成された側面導体の少なくとも一方により積層方向に電気的に接続されていることにより、積層された複数の誘電体層の内部に形成される積層ストリップラインフィルタの設計自由度が向上するとともに、小型で高性能な積層ストリップラインフィルタを提供することができる。
【図面の簡単な説明】
【図１】本発明の積層ストリップラインフィルタの実施の形態の一例を示す透視斜視図である。
【図２】本発明の積層ストリップラインフィルタの実施の形態の一例を示す透視平面図である。
【図３】図２のａ−ａ’線における断面図である。
【図４】従来の積層ストリップラインフィルタの例を示す透視斜視図である。
【図５】従来の積層ストリップラインフィルタの例を示す透視平面図である。
【図６】図５のｂ−ｂ’線における断面図である。
【図７】従来の積層ストリップラインフィルタのフィルタ特性（挿入損失）をシュミレーションした結果を示すグラフである。
【図８】従来の積層ストリップラインフィルタのフィルタ特性（挿入損失）をシュミレーションした結果と、図７の結果とを重ねて示したグラフである。
【符号の説明】
１０・・・第１の誘電体層
１１・・・第２の誘電体層
１２・・・第３の誘電体層
２０・・・第１の接地電極
２１・・・第２の接地電極
２２・・・第１の片端開放矩形状共振電極
２３・・・第１の片端短絡矩形状共振電極
２４・・・第２の片端開放矩形状共振電極
２５・・・第２の片端短絡矩形状共振電極
２６・・・第３の片端開放矩形状共振電極
２７・・・第３の片端短絡矩形状共振電極
２８・・・開放端
２９・・・短絡端
３０・・・第１の共振器
３１・・・第２の共振器
３２・・・第３の共振器
３３・・・入力端子（出力端子）
３４・・・出力端子（入力端子）
３５・・・第３の接地電極
【図１】
2005051372.tif 000003
【図２】
2005051372.tif 000004
【図３】
2005051372.tif 000005
【図４】
2005051372.tif 000006
【図５】
2005051372.tif 000007
【図６】
2005051372.tif 000008
【図７】
2005051372.tif 000009
【図８】
2005051372.tif 000010